(57)【特許請求の範囲】
【請求項１】
下半身の運動により消費カロリーを増加させる運動補助着において、
前に出されている脚に対して外側に開く外転方向への力が付与されるように張力を生じる前出脚外転部が設けられていること、
後ろに出されている脚に対して内側に閉じる内転方向への力が付与されるように張力を生じる後出脚内転部が設けられていること、
前記前出脚外転部は、臀部の外側の下方付近から大腿の外側の側面を介して大腿の前面の中間部分に向けて進行するにつれて身体の下方に向かうように下半身に対応するものであること、
前記後出脚内転部は、臀部の内側の下方付近から大腿の外側の側面を介して大腿の前面の中間部分に向けて進行するにつれて身体の下方に向かうように下半身に対応するものであること、
ならびに、前記大腿の外側の側面において前記後出脚内転部が前記前出脚外転部よりも下方の部分に位置していること
を特徴とする下半身の運動により消費カロリーを増加させる運動補助着。
【請求項２】
請求項１に記載の下半身の運動により消費カロリーを増加させる運動補助着において、
大腿の背面において臀部付近に対応する位置を第１外転位置とし、大腿の側面に対応する位置かつ同第１外転位置よりも下方の位置を第２外転位置とし、大腿の前面に対応する位置かつ同第２外転位置よりも下方の位置を第３外転位置として、前記第１外転位置から前記第２外転位置を経由して前記第３外転位置までにわたり前記前出脚外転部が設けられていること
を特徴とする下半身の運動により消費カロリーを増加させる運動補助着。
【請求項３】
請求項１または２に記載の下半身の運動により消費カロリーを増加させる運動補助着において、
大腿の背面において臀部付近に対応する位置かつ前記前出脚外転部が通過する位置とは異なる位置を第１内転位置とし、大腿の側面に対応する位置かつ同第１内転位置よりも下方の位置かつ前記前出脚外転部が通過する位置とは異なる位置を第２内転位置とし、大腿の前面に対応する位置かつ同第２内転位置よりも下方の位置かつ前記前出脚外転部が通過する位置とは異なる位置を第３内転位置として、前記第１内転位置から前記第２内転位置を経由して前記第３内転位置までにわたり前記後出脚内転部が設けられていること
を特徴とする下半身の運動により消費カロリーを増加させる運動補助着。
【請求項４】
請求項２を引用する請求項３に記載の下半身の運動により消費カロリーを増加させる運動補助着において、
前記第１内転位置が前記第１外転位置よりも内股側の位置であること、
前記第２内転位置が前記第２外転位置よりも下方の位置であること、
ならびに、前記第３内転位置が前記第３外転位置よりも下方の位置であること
を特徴とする下半身の運動により消費カロリーを増加させる運動補助着。
【請求項５】
請求項２、または請求項２を引用する請求項３、または請求項４に記載の下半身の運動により消費カロリーを増加させる運動補助着において、
下腿に対応する位置を第４外転位置として、前記第１外転位置から前記第２外転位置および前記第３外転位置を経由して前記第４外転位置までにわたり前記前出脚外転部が設けられていること
を特徴とする下半身の運動により消費カロリーを増加させる運動補助着。
【請求項６】
請求項２、または請求項２を引用する請求項３、または請求項４、または請求項５に記載の下半身の運動により消費カロリーを増加させる運動補助着において、
ウエストと対応する位置を第５外転位置として、この第５外転位置から前記第１外転位置および前記第２外転位置を経由して前記第３外転位置までにわたり前記前出脚外転部が設けられていること
を特徴とする下半身の運動により消費カロリーを増加させる運動補助着。
【請求項７】
請求項３、または請求項４、または請求項３を引用する請求項５、または請求項４を引用する請求項５、または請求項３を引用する請求項６、または請求項４を引用する請求項６、または請求項３を引用する請求項５を引用する請求項６に記載の下半身の運動により消費カロリーを増加させる運動補助着において、
ウエストと対応する位置かつ前記前出脚外転部が通過する位置とは異なる位置を第４内転位置として、この第４内転位置から前記第１内転位置および前記第２内転位置を経由して前記第３内転位置までにわたり前記後出脚内転部が設けられていること
を特徴とする下半身の運動により消費カロリーを増加させる運動補助着。
【請求項８】
請求項１〜７のいずれか一項に記載の下半身の運動により消費カロリーを増加させる運動補助着において、
前記脚が前に出された状態において前記後出脚内転部により前記外転方向への力が同脚に付与されること
を特徴とする下半身の運動により消費カロリーを増加させる運動補助着。
【請求項９】
請求項１〜８のいずれか一項に記載の下半身の運動により消費カロリーを増加させる運動補助着において、
前記脚が後ろに出された状態において前記前出脚外転部から同脚に付与される前記外転方向への力が「０」となること
を特徴とする下半身の運動により消費カロリーを増加させる運動補助着。
【請求項１０】
請求項１〜９のいずれか一項に記載の下半身の運動により消費カロリーを増加させる運動補助着において、
前記脚が前に出された状態において同脚を外側に旋回させる外旋方向への力を同脚に付与する前出脚外旋部が設けられていること、
ならびに、前記前出脚外旋部に生じる張力により前記外旋方向への力が前記脚に付与されること
を特徴とする下半身の運動により消費カロリーを増加させる運動補助着。
【請求項１１】
請求項１０に記載される下半身の運動により消費カロリーを増加させる運動補助着において、
内股に対応する位置を第１外旋位置とし、大腿の背面に対応する位置を第２外旋位置として、前記第１外旋位置から前記第２外旋位置までにわたり前記前出脚外旋部が設けられていること、
ならびに、前記前出脚外旋部と前記前出脚外転部とが互いに連結されていること
を特徴とする下半身の運動により消費カロリーを増加させる運動補助着。
【請求項１２】
請求項１〜１１のいずれか一項に記載の下半身の運動により消費カロリーを増加させる運動補助着において、
この運動補助着がボトムとして形成されていること、
前記前出脚外転部および前記後出脚内転部に縫い合わせられる基礎部が設けられていること、
ならびに、前記前出脚外転部および前記後出脚内転部が前記基礎部よりも緊締力の強い生地で構成されていること
を特徴とする下半身の運動により消費カロリーを増加させる運動補助着。
【請求項１３】
請求項１０を引用する請求項１２、または請求項１１を引用する請求項１２に記載の下半身の運動により消費カロリーを増加させる運動補助着において、
前記前出脚外転部よりも緊締力が弱い生地を含めて前記前出脚外旋部が構成されていること
を特徴とする下半身の運動により消費カロリーを増加させる運動補助着。
【発明の詳細な説明】
【技術分野】
【０００１】
本発明は、下半身の運動により消費カロリーを増加させる運動補助着に関する。
【背景技術】
【０００２】
特許文献１には、脚を内側に向けて締め付けることにより、すなわち脚に対して内転方向への力を常に付与することにより、Ｏ脚を改善するボトムが記載されている。このボトムを着用した着用者においては、右半身または左半身のそれぞれに対応して設けられた緊締力の強い生地により内転筋の活動が補助されるため、Ｏ脚が改善されることを期待することができる。
【先行技術文献】
【特許文献】
【０００３】
【特許文献１】特開２００８−１８８２１３号公報
【発明の概要】
【発明が解決しようとする課題】
【０００４】
ところで、特許文献１の段落［０００７］には、同文献のボトムを着用することにより内転筋が鍛えられる旨が記載されている。しかし、特許文献１のボトムは上記のとおり内転筋の動作を補助するものであるため、同ボトムを着用することにより内転筋を積極的に活動させることができるとは考えにくい。
【０００５】
一方、内転筋は日常の動作では鍛えられにくい筋肉の１つに含まれるため、その筋力を増大させるためには、内転筋の鍛錬に適した運動を継続することが必要になる。しかし、そのような運動を継続することには大きな負担がともなうため、日常の動作により内転筋をはじめとする下半身の筋肉の活動量を増大させることができる運動補助着が求められている。
【０００６】
本発明はこのような実情に鑑みてなされたものであり、その目的は、内転筋をはじめとする下半身の筋肉の活動量を増大させることのできる運動補助着を提供することにある。
【課題を解決するための手段】
【０００７】
上記目的を達成するための手段を以下に記載する。
（１）請求項１に記載の発明は、下半身の運動により消費カロリーを増加させる運動補助着において、前に出されている脚に対して外側に開く外転方向への力が付与されるように張力を生じる前出脚外転部が設けられていること、後ろに出されている脚に対して内側に閉じる内転方向への力が付与されるように張力を生じる後出脚内転部が設けられていること、前記前出脚外転部は、臀部の外側の下方付近から大腿の外側の側面を介して大腿の前面の中間部分に向けて進行するにつれて身体の下方に向かうように下半身に対応するものであること、前記後出脚内転部は、臀部の内側の下方付近から大腿の外側の側面を介して大腿の前面の中間部分に向けて進行するにつれて身体の下方に向かうように下半身に対応するものであること、ならびに、前記大腿の外側の側面において前記後出脚内転部が前記前出脚外転部よりも下方の部分に位置していることを要旨としている。
【０００８】
上記発明によれば、脚が前に出された状態において同脚に外転方向への力を付与する前出脚外転部が設けられているため、着用者が脚を前に出したときには、外転方向の力が前出脚外転部から脚に付与されることにより同脚が外転方向に動作しようとする。すなわち、通常の歩行時とは異なる態様で脚が外転方向に動作しようとする。このため、着用者は外転方向に動作しようとする脚を通常歩行時の動作に近づけるための動作を行う。すなわち、外転方向への力に抗する力を脚に生じさせるために内転筋を動作させる。
【０００９】
脚が後に出された状態において同脚に内転方向への力を付与する後出脚内転部が設けられているため、着用者が脚を後ろに出したときには、内転方向の力が後出脚内転部から脚に付与されることにより同脚が内転方向に動作しようとする。すなわち、通常の歩行時とは異なる態様で脚が内転方向に動作しようとする。このため、着用者は内転方向に動作しようとする脚を通常歩行時の動作に近づけるための動作を行う。すなわち、内転方向への力に抗する力を脚に生じさせるために外転筋（主に大臀筋）を動作させる。
【００１０】
このように、上記発明によれば、前出脚外転部および後出脚内転部のそれぞれの働きにより、内転筋および大臀筋をはじめとする下半身の筋肉の活動量を増大させることのできる運動補助着を提供することができる。
【００１２】
（２）請求項２に記載の発明は、請求項１に記載の下半身の運動により消費カロリーを増加させる運動補助着において、大腿の背面において臀部付近に対応する位置を第１外転位置とし、大腿の側面に対応する位置かつ同第１外転位置よりも下方の位置を第２外転位置とし、大腿の前面に対応する位置かつ同第２外転位置よりも下方の位置を第３外転位置として、前記第１外転位置から前記第２外転位置を経由して前記第３外転位置までにわたり前記前出脚外転部が設けられていることを要旨としている。
【００１３】
（３）請求項３に記載の発明は、請求項１または２に記載の下半身の運動により消費カロリーを増加させる運動補助着において、大腿の背面において臀部付近に対応する位置かつ前記前出脚外転部が通過する位置とは異なる位置を第１内転位置とし、大腿の側面に対応する位置かつ同第１内転位置よりも下方の位置かつ前記前出脚外転部が通過する位置とは異なる位置を第２内転位置とし、大腿の前面に対応する位置かつ同第２内転位置よりも下方の位置かつ前記前出脚外転部が通過する位置とは異なる位置を第３内転位置として、前記第１内転位置から前記第２内転位置を経由して前記第３内転位置までにわたり前記後出脚内転部が設けられていることを要旨としている。
【００１４】
（４）請求項４に記載の発明は、請求項２を引用する請求項３に記載の下半身の運動により消費カロリーを増加させる運動補助着において、前記第１内転位置が前記第１外転位置よりも内股側の位置であること、前記第２内転位置が前記第２外転位置よりも下方の位置であること、ならびに、前記第３内転位置が前記第３外転位置よりも下方の位置であることを要旨としている。
【００１５】
（５）請求項５に記載の発明は、請求項２、または請求項２を引用する請求項３、または請求項４に記載の下半身の運動により消費カロリーを増加させる運動補助着において、下腿に対応する位置を第４外転位置として、前記第１外転位置から前記第２外転位置および前記第３外転位置を経由して前記第４外転位置までにわたり前記前出脚外転部が設けられていることを要旨としている。
【００１６】
上記発明では、第３外転位置から第４外転位置までに対応する部分を含めて前出脚外転部が構成されているため、前出脚外転部に同部分が含まれない場合と比較して、前出脚外転部から脚に付与される外転方向の力がより大きくなる。
【００１７】
（６）請求項６に記載の発明は、請求項２、または請求項２を引用する請求項３、または請求項４、または請求項５に記載の下半身の運動により消費カロリーを増加させる運動補助着において、ウエストと対応する位置を第５外転位置として、この第５外転位置から前記第１外転位置および前記第２外転位置を経由して前記第３外転位置までにわたり前記前出脚外転部が設けられていることを要旨としている。
【００１８】
上記発明では、第５外転位置から第１外転位置までに対応する部分を含めて前出脚外転部が構成されているため、前出脚外転部に同部分が含まれない場合と比較して、前出脚外転部から脚に付与される外転方向の力がより大きくなる。
【００１９】
（７）請求項７に記載の発明は、請求項３、または請求項４、または請求項３を引用する請求項５、または請求項４を引用する請求項５、または請求項３を引用する請求項６、または請求項４を引用する請求項６、または請求項３を引用する請求項５を引用する請求項６に記載の下半身の運動により消費カロリーを増加させる運動補助着において、ウエストと対応する位置かつ前記前出脚外転部が通過する位置とは異なる位置を第４内転位置として、この第４内転位置から前記第１内転位置および前記第２内転位置を経由して前記第３内転位置までにわたり前記後出脚内転部が設けられていることを要旨としている。
【００２０】
上記発明では、第４内転位置から第１内転位置までに対応する部分を含めて後出脚内転部が構成されているため、後出脚内転部に同部分が含まれない場合と比較して、後出脚内転部から脚に付与される内転方向の力がより大きくなる。
【００２１】
（８）請求項８に記載の発明は、請求項１〜７のいずれか一項に記載の下半身の運動により消費カロリーを増加させる運動補助着において、前記脚が前に出された状態において前記後出脚内転部により前記外転方向への力が同脚に付与されることを要旨としている。
【００２２】
上記構成によれば、脚が前に出された状態において外転方向への力が後出脚内転部から脚に付与されるため、脚が前に出された状態において前出脚外転部から脚に付与される外転方向の力が後出脚内転部により低減されることが抑制される。
【００２３】
（９）請求項９に記載の発明は、請求項１〜８のいずれか一項に記載の下半身の運動により消費カロリーを増加させる運動補助着において、前記脚が後ろに出された状態において前記前出脚外転部から同脚に付与される前記外転方向への力が「０」となることを要旨としている。
【００２４】
脚が後ろに出された状態において運動補助着から脚に付与される内転方向の力の大きさは、主に後出脚内転部から脚に付与される内転方向の力と前出脚外転部から脚に付与される外転方向の力との差により定められる。
【００２５】
上記発明によれば、脚が後ろに出された状態において前出脚外転部から同脚に付与される外転方向への力が「０」となるため、同力が「０」よりも大きい場合と比較して、脚が後ろに出された状態において脚に付与される内転方向の力が大きくなる。このため、内転方向の力を脚に付与することにより外転筋の活動量を増大させる効果が高められる。
【００２６】
（１０）請求項１０に記載の発明は、請求項１〜９のいずれか一項に記載の下半身の運動により消費カロリーを増加させる運動補助着において、前記脚が前に出された状態において同脚を外側に旋回させる外旋方向への力を同脚に付与する前出脚外旋部が設けられていること、ならびに、前記前出脚外旋部に生じる張力により前記外旋方向への力が前記脚に付与されることを要旨としている。
【００２７】
上記発明によれば、脚が前に出された状態において同脚に外旋方向への力を付与する前出脚外旋部が設けられているため、着用者が脚を前に出したときには、外旋方向の力が前出脚外旋部から脚に付与されることにより同脚が外旋方向に動作しようとする。すなわち、通常の歩行時とは異なる態様で脚が外旋方向に動作しようとする。このため、着用者は外旋方向に動作しようとする脚を通常歩行時の動作に近づけるための動作を行う。すなわち、外旋方向への力に抗する力を脚に生じさせるために内旋筋を動作させる。このように、上記発明によれば、内旋筋の活動量を増大させることができる運動補助着を提供することができる。
【００２８】
（１１）請求項１１に記載の発明は、請求項１０に記載される下半身の運動により消費カロリーを増加させる運動補助着において、内股に対応する位置を第１外旋位置とし、大腿の背面に対応する位置を第２外旋位置として、前記第１外旋位置から前記第２外旋位置までにわたり前記前出脚外旋部が設けられていること、ならびに、前記前出脚外旋部と前記前出脚外転部とが互いに連結されていることを要旨としている。
【００２９】
（１２）請求項１２に記載の発明は、請求項１〜１１のいずれか一項に記載の下半身の運動により消費カロリーを増加させる運動補助着において、この運動補助着がボトムとして形成されていること、前記前出脚外転部および前記後出脚内転部に縫い合わせられる基礎部が設けられていること、ならびに、前記前出脚外転部および前記後出脚内転部が前記基礎部よりも緊締力の強い生地で構成されていることを要旨としている。
【００３０】
（１３）請求項１３に記載の発明は、請求項１０を引用する請求項１２、または請求項１１を引用する請求項１２に記載の下半身の運動により消費カロリーを増加させる運動補助着において、前記前出脚外転部よりも緊締力が弱い生地を含めて前記前出脚外旋部が構成されていることを要旨としている。
【００３１】
上記発明によれば、前出脚外旋部を構成する生地の少なくとも一部の緊締力が前出脚外転部の生地の緊締力よりも小さい。このため、前出脚外旋部を構成する生地の全てについて、その緊締力が前出脚外転部の生地の緊締力と同じ場合と比較して、着用者が運動補助着を着用したときに着用者に付与される締め付け感を小さくすることができる。
【発明の効果】
【００３２】
本発明によれば、内転筋をはじめとする下半身の筋肉の活動量を増大させることのできる運動補助着を提供することができる。
【図面の簡単な説明】
【００３３】
【図１】本発明の一実施形態の運動補助着について、その正面構造を示す正面図。
【図２】同実施形態の運動補助着について、その背面構造を示す背面図。
【図３】同実施形態の運動補助着について、その機能を模式的に示す作用図。
【図４】同実施形態の運動補助着について、その機能を模式的に示す作用図。
【図５】本発明のその他の実施形態としての運動補助着について、その正面構造を示す正面図。
【図６】同実施形態の運動補助着について、その背面構造を示す背面図。
【発明を実施するための形態】
【００３４】
図１〜図４を参照して、本発明の一実施形態について説明する。
本実施形態では、人体に密着するインナーウェアとして本発明の運動補助着を具体化した一例を示している。なお、図１および図２においては、ボトム１を構成する各生地同士の縫い目を実線で示している。また、生地の裏側に設けられた別の生地を破線で示している。
【００３５】
ここで、身体の部位について以下のように用語を定義する。
・「前方」は、身体の背面から前面に向かう方向を示す。
・「後方」は、身体の前面から背面に向かう方向を示す。
・「上方」は、足から頭に向かう方向を示す。
・「下方」は、頭から足に向かう方向を示す。
・「左方」は、右半身から左半身に向かう方向を示す。
・「右方」は、左半身から右半身に向かう方向を示す。
・「内側」は、左右方向においての身体の中心側を示す。
・「外側」は、左右方向においての身体の中心側とは反対側を示す。
・「脇腹」は、腹部のうちの外側に対応する部分を示す。
・「下腹部」は、腹部のうちのウエストよりも下方の部分を示す。
・「臀部」は、体幹の背面においての骨盤およびその付近の部分を示す。
・「膝部」は、下肢においての膝関節およびその付近の部分を示す。
・「内股」は、大腿の内側の側面の部分を示す。
・「外股」は、大腿の外側の側面の部分を示す。
・「下腿」は、下肢においての膝関節よりも下方の部分を示す。
・「脛」は、下腿のうちの前面の部分を示す。
・「脹脛」は、下腿のうちの背面の部分を示す。
【００３６】
また、脚の動作について以下のように用語を定義する。
・「外転」は、外側に開く方向への脚の動作を示す。
・「内転」は、内側に閉じる方向への脚の動作を示す。
・「外旋」は、前面が外側に向けて旋回する脚の動作を示す。
・「内旋」は、前面が内側に向けて旋回する脚の動作を示す。
・「遊脚期」は、歩行周期において足が地面から離れている期間を示す。
・「立脚期」は、歩行周期において足が地面に接触している期間を示す。
【００３７】
また、下肢の動作に関わる筋肉について以下のように用語を定義する。
・「内転筋」は、下肢の内転に関わる筋肉を示す。
・「外転筋」は、下肢の外転に関わる筋肉を示す。
・「内旋筋」は、下肢の内旋に関わる筋肉を示す。
【００３８】
また、下肢の状態について以下のように用語を定義する。
・「右脚接地状態」は、立脚期の右脚の状態を示す。
・「左脚接地状態」は、立脚期の左脚の状態を示す。
・「右脚直立状態」は、右脚接触状態において膝関節が伸びている右脚の状態を示す。
・「左脚直立状態」は、左脚接触状態において膝関節が伸びている左脚の状態を示す。
・「右脚離間状態」は、遊脚期の右脚の状態を示す。
・「左脚離間状態」は、遊脚期の左脚の状態を示す。
・「右脚後方離間状態」は、右脚離間状態において右脚が後方側にある状態を示す。
・「右脚前方離間状態」は、右脚離間状態において右脚が前方側にある状態を示す。
・「左脚後方離間状態」は、左脚離間状態において左脚が後方側にある状態を示す。
・「左脚前方離間状態」は、左脚離間状態において左脚が前方側にある状態を示す。
【００３９】
また、脚に付与される力について以下のように用語を定義する。
・「外転力」は、脚を外転させる力を示す。
・「内転力」は、脚を内転させる力を示す。
・「外旋力」は、脚を外旋させる力を示す。
【００４０】
図１および図２を参照して、ボトム１の構成について説明する。
ボトム１には、ボトム右１１とボトム左１２とウエスト部１３と股布１４と裾１５とが設けられている。ボトム右１１およびボトム左１２は、右半身と左半身との境界に対応する部分において互いに縫い合わせられている。
【００４１】
ボトム右１１は、右半身においてウエストから右脚の下腿までを覆う部分として設けられている。ボトム左１２は、左半身においてウエストから左脚の下腿までを覆う部分として設けられている。ウエスト部１３は、ウエストの周囲を覆う部分として設けられている。股布１４は、股間を覆う部分として設けられている。裾１５は、下腿に対応して設けられている。
【００４２】
ボトム右１１およびボトム左１２は、基礎生地２０と前出脚外転生地３０と前出脚外旋生地４０と後出脚内転生地５０とにより構成されている。これらの各生地は、隣り合う部分が互いに縫い合わせられている。
【００４３】
基礎生地２０は、身体の各部分を覆う一般的な生地として設けられている。また、ボトム右１１およびボトム左１２のそれぞれにおいては、基礎生地２０を構成する生地として、下腹部基礎生地２１と脇腹基礎生地２２と臀部基礎生地２３と大腿基礎生地２４と膝基礎生地２５と膝下基礎生地２６とが設けられている。
【００４４】
下腹部基礎生地２１は、下腹部および大腿の前面の股関節付近の部分に対応している。また脇腹基礎生地２２は、脇腹に対応している。また臀部基礎生地２３は、臀部に対応している。また大腿基礎生地２４は、大腿の背面かつ臀部の下方の部分に対応している。また膝基礎生地２５は、膝部の前面および下腿背面の内側の部分に対応している。
【００４５】
ボトム右１１の前出脚外転生地３０は、右脚が前に出された状態において右脚に外転力を付与する部分として設けられている。ボトム左１２の前出脚外転生地３０は、左脚が前に出された状態において左脚に外転力を付与する部分として設けられている。また、ボトム右１１およびボトム左１２のそれぞれにおいては、前出脚外転生地３０を構成する生地として、大腿前出脚外転生地３１と下腿前出脚外転生地３２と臀部前出脚外転生地３３とが設けられている。
【００４６】
前出脚外転生地３０においては、臀部前出脚外転生地３３の下縁と大腿前出脚外転生地３１の上縁とが互いに縫い合わせられている。また、大腿前出脚外転生地３１の下縁と下腿前出脚外転生地３２の上縁とが互いに縫い合わせられている。また、前出脚外転生地３０とこれに隣り合う各生地とは、前出脚外転生地３０の張力が「０」になるように互いに縫い合わせられている。
【００４７】
ボトム右１１の前出脚外旋生地４０は、右脚が前に出された状態において右脚に外旋力を付与する部分として設けられている。ボトム左１２の前出脚外旋生地４０は、左脚が前に出された状態において左脚に外旋力を付与する部分として設けられている。また、ボトム右１１およびボトム左１２のそれぞれにおいては、前出脚外旋生地４０を構成する生地として、内側前出脚外旋生地４１と外側前出脚外旋生地４２と背面支持生地４３とが設けられている。
【００４８】
前出脚外旋生地４０においては、内側前出脚外旋生地４１の右端と背面支持生地４３の左端とが互いに縫い合わせられている。また、背面支持生地４３の左端と外側前出脚外旋生地４２の右端とが互いに縫い合わせられている。
【００４９】
ボトム右１１の後出脚内転生地５０は、右脚が後ろに出された状態において右脚に内転力を付与する部分として設けられている。ボトム左１２の後出脚内転生地５０は、左脚が後ろに出された状態において左脚に内転力を付与する部分として設けられている。また、ボトム右１１およびボトム左１２のそれぞれにおいては、後出脚内転生地５０を構成する生地として、大腿後出脚内転生地５１と臀部後出脚内転生地５２とが設けられている。
【００５０】
後出脚内転生地５０においては、臀部後出脚内転生地５２の下端と大腿後出脚内転生地５１の上端とが互いに縫い合わせられている。また、後出脚内転生地５０の長辺の部分とこれに隣り合う別の生地とは、大腿の背面の外側から内側に向かう張力（以下、「基礎張力」）が後出脚内転生地５０に常に生じるように互いに縫い合わせられている。すなわち、後出脚内転生地５０に隣り合う生地が縮れさせられた状態でに縫い付けられている。
【００５１】
ボトム右１１およびボトム左１２は、緊締力の強さが互いに異なる３種類の生地により構成されている。すなわち、緊締力が最も大きい強緊締力生地、緊締力が最も小さい弱緊締力生地、および緊締力が強緊締力生地と弱緊締力生地との間の大きさとなる中緊締力生地により構成されている。
【００５２】
基礎生地２０の各生地すなわち、下腹部基礎生地２１、脇腹基礎生地２２、臀部基礎生地２３、大腿基礎生地２４、膝基礎生地２５、および膝下基礎生地２６は、弱緊締力生地により構成されている。基礎生地２０の弱緊締力生地としては、一般の下着に用いられる生地と同程度の伸縮性を有するものが用いられている。
【００５３】
前出脚外転生地３０の各生地すなわち、大腿前出脚外転生地３１、下腿前出脚外転生地３２、および臀部前出脚外転生地３３は、強緊締力生地により構成されている。前出脚外転生地３０の強緊締力生地としては、展開された状態において長手方向の伸縮性よりも短手方向の伸縮性が小さい帯状の生地が用いられている。
【００５４】
前出脚外旋生地４０の内側前出脚外旋生地４１および外側前出脚外旋生地４２は、中緊締力生地により構成されている。前出脚外旋生地４０の背面支持生地４３は、強緊締力生地により構成されている。背面支持生地４３の強緊締力生地としては、前出脚外転生地３０の強緊締力生地と同じものが用いられている。
【００５５】
後出脚内転生地５０の各生地すなわち、大腿後出脚内転生地５１および臀部後出脚内転生地５２は、強緊締力生地により構成されている。後出脚内転生地５０の強緊締力生地としては、前出脚外転生地３０の強緊締力生地と同じものが用いられている。
【００５６】
ボトム１においてのボトム右１１およびボトム左１２以外の各部分は、それぞれ次のように構成されている。すなわち、ウエスト部１３は、平ゴムにより構成されている。また、股布１４は、２種類の生地すなわち、弱緊締力生地と伸縮性の小さい生地とが重ね合わせられることにより構成されている。また、裾１５は、膝基礎生地２５および下腿前出脚外転生地３２により構成されている。また、裾１５の裏側には、弱緊締力生地、中緊締力生地および強緊締力生地よりも摩擦の大きなテープが縫い付けられている。
【００５７】
各生地３０，４０，５０と身体の部位との対応について説明する。
ここで、右半身および左半身においての各所定の位置を以下のように定義する。
・「外転位置ＥＡ」は、臀部においてのウエスト付近かつ側面付近の位置を示す。
・「外転位置ＥＢ」は、大腿の背面においての股関節付近の位置を示す。
・「外転位置ＥＣ」は、大腿の外股においての上方の位置を示す。
・「外転位置ＥＤ」は、大腿の前面においての左右方向中央付近の位置を示す。
・「外転位置ＥＥ」は、大腿の内股においての下方の位置を示す。
・「外転位置ＥＦ」は、膝部の背面においての左右方向中央の位置を示す。
・「外転位置ＥＧ」は、下腿の側面においての上方の位置を示す。
・「外転位置ＥＨ」は、脛においての左右方向中央付近の位置を示す。
・「外旋位置ＸＡ」は、大腿の前面においての左右方向中央の位置を示す。
・「外旋位置ＸＢ」は、大腿の内股においての上下方向の上方の位置を示す。
・「外旋位置ＸＣ」は、大腿の背面においての左右方向中央付近の位置を示す。
・「外旋位置ＸＤ」は、大腿の外股においての膝部の上方の位置を示す。
・「外旋位置ＸＥ」は、膝部の前面においての左右方向中央よりも外側の位置を示す。
・「内転位置ＮＡ」は、臀部においてのウエスト付近かつ内側付近の位置を示す。
・「内転位置ＮＢ」は、大腿の背面においての股関節付近かつ内股付近の位置を示す。
・「内転位置ＮＣ」は、大腿の背面においての上方かつ左右方向中央付近の位置を示す。
・「内転位置ＮＤ」は、大腿の外股においての上方の位置を示す。
・「内転位置ＮＥ」は、大腿の前面においての左右方向中央付近の位置を示す。
【００５８】
なお、外転位置ＥＡは、第５外転位置に相当する。また、外転位置ＥＢは、第１外転位置に相当する。また、外転位置ＥＣは、第２外転位置に相当する。また、外転位置ＥＤは、第３外転位置に相当する。また、外転位置ＥＧおよび外転位置ＥＨは、第４外転位置に相当する。また、外旋位置ＸＢは、第１外旋位置に相当する。また、外旋位置ＸＣは、第２外旋位置に相当する。また、内転位置ＮＡは、第４内転位置に相当する。また、内転位置ＮＢは、第１内転位置に相当する。また、内転位置ＮＤは、第２内転位置に相当する。また、内転位置ＮＥは、第３内転位置に相当する。
【００５９】
上記各位置の相対的な関係を以下に示す。
・各外転位置は、上下方向において外転位置ＥＡ〜ＥＨの順に下方の位置となる。
・各外旋位置は、上下方向において外旋位置ＸＡ〜ＸＥの順に下方の位置となる。
・各内転位置は、上下方向において内転位置ＮＡ〜ＮＥの順に下方の位置となる。
・内転位置ＮＡは、外転位置ＥＡよりも内側の位置となる。
・内転位置ＮＢは、左右方向において外転位置ＥＢよりも内側の位置となる。
・内転位置ＮＣは、上下方向において外転位置ＥＢよりも下方の位置となる。
・内転位置ＮＤは、上下方向において外転位置ＥＣよりも下方の位置となる。
・外旋位置ＸＡは、上下方向において外転位置ＥＤよりも上方の位置となる。
・外旋位置ＸＢは、上下方向において内転位置ＮＢよりも下方の位置となる。
・外旋位置ＸＢは、上下方向において外転位置ＥＥよりも上方の位置となる。
・外旋位置ＸＣは、上下方向において内転位置ＮＣよりも下方の位置となる。
・外旋位置ＸＣは、上下方向において外転位置ＥＦよりも上方の位置となる。
・外旋位置ＸＤは、上下方向において内転位置ＮＤよりも下方の位置となる。
・外旋位置ＸＤは、上下方向において外転位置ＥＧよりも上方の位置となる。
【００６０】
前出脚外転生地３０は、外転位置ＥＡから外転位置ＥＨまでを順に通過する帯状の生地として構成されている。また、前出脚外転生地３０のうちの外転位置ＥＢから外転位置ＥＨまでに対応する部分は、下肢に巻きつく螺旋状の部分として構成されている。
【００６１】
臀部前出脚外転生地３３は、ウエスト付近の部分、および臀部のうちの側面付近の部分に対応している。また大腿前出脚外転生地３１は、大腿の背面においての股関節付近の部分、外股、大腿の前面、内股、および膝部背面の左右方向の中央よりも内側の部分に対応している。また下腿前出脚外転生地３２は、膝部背面の左右方向の中央よりも外側の部分、脹脛の中央よりも外側の部分、下腿の外側の側面、および脛に対応している。
【００６２】
大腿前出脚外転生地３１は、互いに重ね合わせられた同じ種類の生地、すなわち表側生地３１Ａおよび裏側生地３１Ｂにより構成されている。表側生地３１Ａと裏側生地３１Ｂとは、大腿の背面においての股関節付近の部分、および大腿の前面において互いに縫い合わせられている。
【００６３】
表側生地３１Ａは、大腿の背面においての股関節付近の部分、外股、大腿の前面、内股、および膝部背面の左右方向の中央よりも内側の部分に対応している。また裏側生地３１Ｂは、大腿の背面においての股関節付近の部分、外股、大腿の前面に対応している。
【００６４】
前出脚外旋生地４０は、外旋位置ＸＡから外旋位置ＸＥまでを順に通過する生地として構成されている。また、前出脚外旋生地４０の外旋位置ＸＡから外旋位置ＸＥまでに対応する部分は、下肢に巻きつく螺旋状の部分として構成されている。
【００６５】
内側前出脚外旋生地４１は、大腿の前面の中央よりも内側の部分、内股、および大腿の背面においての中央よりも内側の部分に対応している。また背面支持生地４３は、大腿の背面の左右方向の中央、膝部背面の左右方向の中央、および脹脛の左右方向の中央に対応している。また外側前出脚外旋生地４２は、大腿の背面においての中央よりも外側の部分、外股、および大腿の前面においての中央よりも外側の部分に対応している。
【００６６】
後出脚内転生地５０は、内転位置ＮＡから内転位置ＮＥまでを順に通過する帯状の生地として構成されている。また、後出脚内転生地５０のうちの内転位置ＮＢから内転位置ＮＥまでに対応する部分は、下肢に巻きつく螺旋状の部分として構成されている。
【００６７】
臀部後出脚内転生地５２は、ウエスト付近の部分、および臀部の内側の部分に対応している。また大腿後出脚内転生地５１は、大腿の背面においての股関節付近かつ内股付近の部分、大腿の背面、外股、および大腿の前面においての左右方向の中央よりも外側の部分に対応している。
【００６８】
前出脚外転生地３０と後出脚内転生地５０との相対的な位置関係について説明する。
後出脚内転生地５０において、内転位置ＮＢから内転位置ＮＤまでに対応する部分は、前出脚外転生地３０の外転位置ＥＢから外転位置ＥＤまでに対応する部分の下方に設けられている。また、内転位置ＮＤから内転位置ＮＥまでに対応する部分の上縁は、前出脚外転生地３０の外転位置ＥＣからＥＤまでに対応する部分の下縁に縫い付けられている。
【００６９】
前出脚外旋生地４０において、背面に対応する部分かつ外旋位置ＸＢから外旋位置ＸＤまでに対応する部分は、後出脚内転生地５０と前出脚外転生地３０との間に設けられている。また、前出脚外旋生地４０の外旋位置ＸＢから外旋位置ＸＥまでに対応する部分の上縁は、後出脚内転生地５０の内転位置ＮＢから内転位置ＮＥまでに対応する部分の下縁に縫い付けられている。また、前出脚外旋生地４０の外旋位置ＸＡから外旋位置ＸＤまでに対応する部分の下縁は、前出脚外転生地３０の外転位置ＥＤから外転位置ＥＧまでに対応する部分の上縁に縫い付けられている。
【００７０】
図３を参照して、後出脚内転生地５０の機能について説明する。なお、同図においては、右脚の動作にともない同脚に付与される内転力を示している。左脚については、右脚の動作に準じた態様で内転力が付与されるため、左脚に付与される内転力の図示は省略している。
【００７１】
右脚後方離間状態においては、以下のように右脚の外転筋が使用される。
後出脚内転生地５０には、右脚接地状態および右脚離間状態の双方において、図中の矢印ＰＮで示される基礎張力が生じている。このため、上記の各状態において、右脚には後出脚内転生地５０の基礎張力により内転力が付与されている。なお、前出脚外転生地３０は、右脚後方離間状態において外転力が「０」となるように構成されているため、右脚後方離間状態において後出脚内転生地５０の基礎張力による内転力が前出脚外転生地３０の外転力により低減されることはない。
【００７２】
一方、右脚接地状態においては、基礎張力に基づく内転力が右脚を内転させようとする力よりも、右足と地面との摩擦により生じる抵抗の方が大きいため、着用者が同内転力に抗する力を右脚に生じさせなくとも右脚の内転が抑制される。すなわち、右脚接地状態においては、着用者が右脚の内転筋を働かせなくとも内転が抑制される。
【００７３】
他方、右脚後方離間状態においては、右足と地面との摩擦力が生じなくなるため、基礎張力に基づく右脚の内転力により右脚が内転方向に動作しようとする。すなわち、通常の歩行時とは異なる態様で右脚が内転方向に動作しようとする。このため、着用者は内転方向に動作しようとする右脚を通常歩行時の動作に近づけるための動作を行う。すなわち、内転力に抗する力を右脚に生じさせるために外転筋（主に大臀筋）を動作させる。
【００７４】
左脚後方離間状態においては、以下のように左脚の外転筋が使用される。
後出脚内転生地５０には、左脚接地状態および左脚離間状態の双方において、基礎張力が生じている。このため、上記の各状態において、左脚には後出脚内転生地５０の基礎張力により内転力が付与されている。なお、前出脚外転生地３０は、左脚後方離間状態において外転力が「０」となるように構成されているため、左脚後方離間状態において後出脚内転生地５０の基礎張力による内転力が前出脚外転生地３０の外転力により低減されることはない。
【００７５】
一方、左脚接地状態においては、基礎張力に基づく内転力が左脚を内転させようとする力よりも、左足と地面との摩擦により生じる抵抗の方が大きいため、着用者が同内転力に抗する力を左脚に生じさせなくとも左脚の内転が抑制される。すなわち、左脚接地状態においては、着用者が左脚の内転筋を働かせなくとも内転が抑制される。
【００７６】
他方、左脚後方離間状態においては、左足と地面との摩擦力が生じなくなるため、基礎張力に基づく左脚の内転力により左脚が内転方向に動作しようとする。すなわち、通常の歩行時とは異なる態様で左脚が内転方向に動作しようとする。このため、着用者は内転方向に動作しようとする左脚を通常歩行時の動作に近づけるための動作を行う。すなわち、内転力に抗する力を左脚に生じさせるために外転筋（主に大臀筋）を動作させる。
【００７７】
図４を参照して、前出脚外転生地３０の機能について説明する。なお、同図においては、右脚の動作にともない同脚に付与される外転力を示している。左脚については、右脚の動作に準じた態様で外転力が付与されるため、左脚に付与される外転力の図示は省略している。
【００７８】
右脚前方離間状態においては、以下のように右脚の内転筋および内旋筋が使用される。
右脚直立状態においての前出脚外転生地３０に対応する部分の体表面の長さと、右脚前方離間状態においての前出脚外転生地３０に対応する部分の体表面の長さとを比較したとき、前者よりも後者の方が長い。すなわち、右脚前方離間状態においては右脚直立状態よりも前出脚外転生地３０および後出脚内転生地５０が伸びた状態にある。また、前出脚外転生地３０が伸長することにともない、前出脚外旋生地４０が内側から外側に向けて伸びた状態にある。
【００７９】
このため、前出脚外転生地３０が伸長した状態から伸長する前の状態に戻ろうとすることにより、前出脚外転生地３０には図中の矢印ＰＥで示されるように張力が生じる。そして、前出脚外転生地３０にこのように張力が生じることにともない、図中の矢印ＲＥで示されるように前出脚外転生地３０から右脚に外転力が付与される。
【００８０】
また、後出脚内転生地５０が伸長した状態から伸長する前の状態に戻ろうとすることにより、後出脚内転生地５０には図中のＰＮで示されるように張力が生じる。そして、後出脚内転生地５０にこのように張力が生じることにともない、図中の矢印ＲＥで示されるように後出脚内転生地５０から右脚に外転力が付与される。
【００８１】
また、前出脚外旋生地４０が伸長した状態から伸長する前の状態に戻ろうとすることにより、前出脚外旋生地４０には図中の矢印ＰＸで示されるように張力が生じる。そして、前出脚外旋生地４０にこのように張力が生じることにともない、図中の矢印ＲＸで示されるように前出脚外旋生地４０から右脚に外旋力が付与される。なお、この外旋力は、外旋位置ＸＥから右脚の背面を介して外旋位置ＸＡに向けて作用する力となる。
【００８２】
右脚前方離間状態においては、上記のとおり前出脚外転生地３０、後出脚内転生地５０、および前出脚外旋生地４０の各生地から外転力および外旋力が右脚に付与されるため、右脚が外転方向および外旋方向に動作しようとする。すなわち、通常の歩行時とは異なる態様で右脚が外転方向および外旋方向に動作しようとする。このため、着用者は外転方向および外旋方向に動作しようとする右脚を通常歩行時の動作に近づけるための動作を行う。すなわち、外転力に抗する力を右脚に生じさせるために内転筋を動作させる。また、外旋力に抗する力を右脚に生じさせるために内旋筋を動作させる。
【００８３】
左脚前方離間状態においては、以下のように左脚の内転筋および内旋筋が使用される。
左脚直立状態においての前出脚外転生地３０に対応する部分の体表面の長さと、左脚前方離間状態においての前出脚外転生地３０に対応する部分の体表面の長さとを比較したとき、前者よりも後者の方が長い。すなわち、左脚前方離間状態においては左脚直立状態よりも前出脚外転生地３０および後出脚内転生地５０が伸びた状態にある。また、前出脚外転生地３０が伸長することにともない、前出脚外旋生地４０が内側から外側に向けて伸びた状態にある。
【００８４】
このため、前出脚外転生地３０が伸長した状態から伸長する前の状態に戻ろうとすることにより、前出脚外転生地３０には張力が生じる。そして、前出脚外転生地３０にこのように張力が生じることにともない、前出脚外転生地３０から左脚に外転力が付与される。
【００８５】
また、後出脚内転生地５０が伸長した状態から伸長する前の状態に戻ろうとすることにより、後出脚内転生地５０には張力が生じる。そして、後出脚内転生地５０にこのように張力が生じることにともない、後出脚内転生地５０から左脚に外転力が付与される。
【００８６】
また、前出脚外旋生地４０が伸長した状態から伸長する前の状態に戻ろうとすることにより、前出脚外旋生地４０には張力が生じる。そして、前出脚外旋生地４０にこのように張力が生じることにともない、前出脚外旋生地４０から左脚に外旋力が付与される。なお、この外旋力は、外旋位置ＸＥから左脚の背面を介して外旋位置ＸＡに向けて作用する力となる。
【００８７】
左脚前方離間状態においては、上記のとおり前出脚外転生地３０、後出脚内転生地５０、および前出脚外旋生地４０の各生地から外転力および外旋力が左脚に付与されるため、左脚が外転方向および外旋方向に動作しようとする。すなわち、通常の歩行時とは異なる態様で左脚が外転方向および外旋方向に動作しようとする。このため、着用者は外転方向および外旋方向に動作しようとする左脚を通常歩行時の動作に近づけるための動作を行う。すなわち、外転力に抗する力を左脚に生じさせるために内転筋を動作させる。また、外旋力に抗する力を左脚に生じさせるために内旋筋を動作させる。
【００８８】
本実施形態のボトム１によれば以下の効果が得られる。
（１）ボトム１には、脚を前に出した状態において脚を外側に開く外転方向への力を脚に付与する前出脚外転生地３０と、脚を後ろに出した状態において脚を内側に閉じる内転方向への力を脚に付与する後出脚内転生地５０とが設けられている。この構成によれば、前出脚外転生地３０および後出脚内転生地５０のそれぞれの働きにより、内転筋および大臀筋をはじめとする下半身の筋肉の活動量を増大させることができる。
【００８９】
（２）また、ボトム１を着用した着用者が脚を上げたとき、後出脚内転生地５０の基礎張力が同脚の動作に対する負荷となる。このため、着用者が脚を上げるときに大腿四頭筋の活動量を増大させることができる。
【００９０】
（３）ボトム１においては、外転位置ＥＤから外転位置ＥＨまでに対応する部分を含めて前出脚外転生地３０が構成されている。このため、前出脚外転生地３０に同部分が含まれない場合と比較して、前出脚外転生地３０から脚に付与される外転力が大きくなる。
【００９１】
（４）ボトム１においては、外転位置ＥＡから外転位置ＥＢまでに対応する部分を含めて前出脚外転生地３０が構成されている。このため、前出脚外転生地３０に同部分が含まれない場合と比較して、前出脚外転生地３０から脚に付与される外転力が大きくなる。
【００９２】
（５）ボトム１においては、内転位置ＮＡから内転位置ＮＢまでに対応する部分を含めて後出脚内転生地５０が構成されている。このため、後出脚内転生地５０に同部分が含まれない場合と比較して、後出脚内転生地５０から脚に付与される内転力が大きくなる。
【００９３】
（６）ボトム１においては、脚が前に出された状態のときに後出脚内転生地５０から脚に外転力が付与される。このため、脚が前に出された状態において前出脚外転生地３０から脚に付与される外転力が後出脚内転生地５０により低減されることが抑制される。
【００９４】
（７）脚が後ろに出された状態において運動補助着から脚に付与される内転力の大きさは、主に後出脚内転生地５０から脚に付与される内転力と前出脚外転生地３０から脚に付与される外転力との差により定められる。
【００９５】
ボトム１においては、脚が後ろに出された状態において前出脚外転生地３０から同脚に付与される外転力が「０」となるため、同力が「０」よりも大きい場合と比較して、脚が後ろに出された状態において脚に付与される内転力が大きくなる。このため、内転力を脚に付与することにより外転筋の活動量を増大させる効果が高められる。
【００９６】
（８）ボトム１には、脚を外側に旋回させる外旋方向への力を脚に付与する前出脚外旋生地４０が設けられている。この構成によれば、前出脚外旋生地４０の働きにより、内旋筋の活動量を増大させることができる。
【００９７】
（９）ボトム１においては、前出脚外転生地３０よりも緊締力が弱い生地を含んで前出脚外旋生地４０が構成されている。すなわち、前出脚外旋生地４０を構成する生地の一部の緊締力が前出脚外転生地３０の生地の緊締力よりも小さい。このため、前出脚外旋生地４０を構成する生地の全てについて、その緊締力が前出脚外転生地３０の生地の緊締力と同じ場合と比較して、着用者が運動補助着を着用したときに着用者に付与される締め付け感を小さくすることができる。
【００９８】
（１０）ボトム１においては、大腿前出脚外転生地３１として表側生地３１Ａおよび裏側生地３１Ｂにより構成される２重の生地が設けられている。この構成によれば、裏側生地３１Ｂが設けられていない場合と比較して、外転位置ＥＢから外転位置ＥＤまでに対応する部分の生地の緊締力が大きくなる。このため、脚が前に出された状態において脚に付与される外転力をより大きくすることができる。
【００９９】
（１１）ボトム１の前出脚外旋生地４０には、外旋位置ＸＣに対応する部位に強緊締力生地により構成される背面支持生地４３が設けられている。背面支持生地４３は、上下方向において、大腿の背面の左右方向中央から膝部の背面の左右方向中央を経由して脹脛の左右方向中央までにわたり設けられている。このため、ボトム１を着用した着用者が脚を後ろから前に振り出すとき、背面支持生地４３の張力が同脚の動作に対する負荷となる。このため、脚が後ろから前に振り出されるときに働く筋肉の活動量を増大させることができる。
【０１００】
（１２）ボトム１を着用した着用者においては、右脚接地状態および左脚接地状態のときに右脚および左脚の内転筋を働かせなくとも脚の内転が抑制される。すなわち、右脚接地状態および左脚接地状態において、脚が過度に内転方向に動くことが抑制される。このため、後出脚内転生地５０の内転力に起因して着用者の姿勢が悪くなることを抑制することができる。
【０１０１】
（１３）ボトム１においては、弱緊締力生地、中緊締力生地、および強緊締力生地よりも摩擦の大きなテープが裾１５の裏側に縫い付けられている。この構成によれば、脚が動かされたとき、脚に対するボトム１のずれが裾１５の裏側に縫い付けられたテープにより抑制される。このため、脚に付与される外転力および内転力がボトム１のずれに起因して小さくなることを抑制することができる。
【０１０２】
（その他の実施形態）
なお、本発明の実施態様は上記実施形態に限られるものではなく、例えば以下に示すように変更することもできる。また以下の各変形例は、上記実施形態についてのみ適用されるものではなく、異なる変形例同士を互いに組み合わせて実施することもできる。
【０１０３】
・上記実施形態では、脚が後ろに出された状態において張力が「０」となるように前出脚外転生地３０を構成しているが、脚が後ろに出された状態において張力が「０」よりも大きくなるように前出脚外転生地３０を構成することもできる。この場合、前出脚外転生地３０としては、脚が後ろに出された状態において、前出脚外転生地３０により脚に付与される外転力よりも後出脚内転生地５０により脚に付与される内転力が大きくなるものが用いられる。
【０１０４】
・上記実施形態では、脚が後ろに出された状態において同脚に内転力を付与するための構成として、後出脚内転生地５０を縮れさせた状態で隣り合う生地に縫い付ける構成を採用しているが、内転力を付与するための構成はこれに限られるものではない。例えば、後出脚内転生地５０としてその長手方向に沿うようにギャザーが形成されたものを用い、この後出脚内転生地５０を隣り合う別の生地に縫い付ける構成に変更することもできる。この場合、後出脚内転生地５０の長手方向の緊締力がギャザーにより増大するため、脚が後ろに出された状態において同脚に内転力が付与される。また、後出脚内転生地から内転力が付与される態様であれば、後出脚内転生地５０を縮れさせない状態で縫い付けることもできる。
【０１０５】
・上記実施形態では、表側生地３１Ａおよび裏側生地３１Ｂにより大腿前出脚外転生地３１を構成しているが、裏側生地３１Ｂを省略することもできる。
・上記実施形態では、表側生地３１Ａの一部に対応するように裏側生地３１Ｂを構成しているが、表側生地３１Ａの裏側全体に対応するように裏側生地３１Ｂを構成することもできる。
【０１０６】
・上記実施形態では、表側生地３１Ａおよび裏側生地３１Ｂを同じ種類の生地により構成しているが、互いに異なる種類の生地を用いて表側生地３１Ａおよび裏側生地３１Ｂを構成することもできる。
【０１０７】
・上記実施形態では、基礎生地２０と前出脚外転生地３０と前出脚外旋生地４０と後出脚内転生地５０とを互いに縫い合わせることによりボトム１を構成しているが、ボトム１の構成を次のように変更することもできる。すなわち、基礎生地のみから構成されるボトム右およびボトム左の表側または裏側に前出脚外転生地３０、前出脚外旋生地４０、および後出脚内転生地５０を縫い付けることにより、上記実施形態のボトム１と同様の機能を有するボトムを構成することもできる。なお、この場合において、ボトム右およびボトム左を構成する基礎生地は、上記実施形態の基礎生地２０に対応する部分と、前出脚外転生地３０、前出脚外旋生地４０、および後出脚内転生地５０に対応する部分とを含むものとなる。
【０１０８】
・上記実施形態では、摩擦の大きなテープを裾１５の裏側に縫い付けることによりボトム１のずれを抑制する構成を採用しているが、これに加えてまたは代えて、以下の（Ａ）〜（Ｄ）の少なくとも１つの構成を採用することもできる。
【０１０９】
（Ａ）裾１５に通される紐によりボトム１のずれを抑制する構成を採用する。この構成においては、紐が結ばれることにより裾１５が絞られる。そして、裾１５が絞られることによりボトム１のずれが抑制される。
【０１１０】
（Ｂ）裾１５に設けられる面ファスナによりボトム１のずれを抑制する構成を採用する。この構成においては、面ファスナが張り合わされることにより裾１５が絞られる。そして、裾１５が絞られることによりボトム１のずれが抑制される。
【０１１１】
（Ｃ）裾１５の一部を延長して形成された環状の部分によりボトム１のずれを抑制する構成を採用する。この構成においては、足裏が環状の部分に引っ掛けられることによりボトム１のずれが抑制される。
【０１１２】
（Ｄ）摩擦の大きな生地を裾１５の裏側に縫い付けることによりボトム１のずれを抑制する構成を採用する。この構成によれば、摩擦の大きな生地と下腿との摩擦によりボトム１のずれが抑制される。
【０１１３】
・上記実施形態では、前出脚外転生地３０を構成する各生地の全部を強緊締力生地により構成したが、同各生地の少なくとも１つを中緊締力生地により構成することもできる。
・上記実施形態では、後出脚内転生地５０を構成する各生地の全部を強緊締力生地により構成したが、同各生地の少なくとも１つを中緊締力生地により構成することもできる。
【０１１４】
・上記実施形態では、前出脚外旋生地４０の内側前出脚外旋生地４１を中緊締力生地により構成したが、内側前出脚外旋生地４１を強緊締力生地により構成することもできる。
・上記実施形態では、前出脚外旋生地４０の外側前出脚外旋生地４２を中緊締力生地により構成したが、外側前出脚外旋生地４２を強緊締力生地により構成することもできる。
【０１１５】
・上記実施形態では、前出脚外旋生地４０の背面支持生地４３を強緊締力生地により構成したが、背面支持生地４３を中緊締力生地により構成することもできる。
・上記実施形態では、前出脚外転生地３０を強緊締力生地により構成したが、強緊締力生地に代えて同等の緊締力を有するゴムにより前出脚外転生地３０に相当する部分を構成することもできる。
【０１１６】
・上記実施形態では、後出脚内転生地５０を強緊締力生地により構成したが、強緊締力生地に代えて同等の緊締力を有するゴムにより前出脚外転生地３０に相当する部分を構成することもできる。
【０１１７】
・上記実施形態では、前出脚外旋生地４０の内側前出脚外旋生地４１を中緊締力生地により構成したが、中緊締力生地に代えて、同等の緊締力を有するゴムまたは紐により内側前出脚外旋生地４１に相当する部分を構成することもできる。
【０１１８】
・上記実施形態では、前出脚外旋生地４０の外側前出脚外旋生地４２を中緊締力生地により構成したが、中緊締力生地に代えて、同等の緊締力を有するゴムまたは紐により外側前出脚外旋生地４２に相当する部分を構成することもできる。
【０１１９】
・上記実施形態では、前出脚外旋生地４０の背面支持生地４３を強緊締力生地により構成したが、強緊締力生地に代えて、同等の緊締力を有するゴムまたは紐により背面支持生地４３に相当する部分を構成することもできる。
【０１２０】
・上記実施形態では、前出脚外転生地３０および後出脚内転生地５０を各別の生地として構成しているが、前出脚外転生地３０および後出脚内転生地５０を一枚の生地により構成することもできる。
【０１２１】
・上記実施形態では、ボトム１の丈をウエストから脛までとして構成しているが、膝丈のボトム１に変更することもできる。
・上記実施形態では、下着としてのボトム１に対して本発明を適用したが、スポーツ用の被服（例えば水着）に本発明を適用することもできる。また、以下に説明するとおり、サポーターとして本発明を実施することもできる。
【０１２２】
図５および図６に示されるように、本発明の一実施形態としてのサポーターには、脚が前に出された状態において同脚に外転力を付与する前出脚外転ベルト１３０と、脚が後ろに出された状態において同脚に内転力を付与する後出脚内転ベルト１５０とが設けられている。またこの他に、前出脚外転ベルト１３０および後出脚内転ベルト１５０の上端をウエストに固定するウエストベルト１１３と、前出脚外転ベルト１３０の下端を膝部に固定する膝ベルト１１５とが設けられている。
【０１２３】
前出脚外転ベルト１３０は、ウエスト付近から内股までにわたり設けられている。また、大腿の背面かつ臀部の下方の部分、外股、および大腿の前面を経由して設けられている。後出脚内転ベルト１５０は、ウエスト付近から大腿の前面の中央よりも外側の部分までにわたり設けられている。また、大腿の背面の股関節付近かつ内股付近の部分、大腿の背面、および外股を経由して設けられている。
【０１２４】
・上記実施形態では、外転位置ＥＡから外転位置ＥＨまでの部分に対応するように前出脚外転生地３０を構成しているが、脚が前に出された状態において同脚に外転力を付与することのできる構成であれば、前出脚外転生地３０の形成位置は上記実施形態において例示された形成位置に限られるものではない。例えば、外股から膝部の前面を経由して下腿の内側にまでにわたり形成された前出脚外転生地を用いることもできる。
【０１２５】
・上記実施形態では、外旋位置ＸＡから外旋位置ＸＥまでの部分に対応するように前出脚外旋生地４０を構成しているが、脚が前に出された状態において同脚に外旋力を付与することのできる構成であれば、前出脚外旋生地４０の形成位置は上記実施形態において例示された形成位置に限られるものではない。例えば、前出脚外転生地３０についての上記変形例において、前出脚外転生地の下方かつ外股から下腿の前面を経由して下腿の内側の部分までにわたり形成された前出脚外旋生地を用いることもできる。
【０１２６】
・上記実施形態では、内転位置ＮＡから内転位置ＮＥまでの部分に対応するように後出脚内転生地５０を構成しているが、脚が後ろに出された状態において同脚に内転力を付与することのできる構成であれば、後出脚内転生地５０の形成位置は上記実施形態において例示された形成位置に限られるものではない。例えば、下腿の側面から下腿の背面または前面を経由して内股までにわたり形成された後出脚内転生地を用いることもできる。また、大腿の側面から大腿の前面を経由して内股までにわたり形成された後出脚内転生地を用いることもできる。これらの変形例においては、脚が前に出された状態において前出脚外転生地により付与される外転力よりも後出脚内転生地により付与される内転力が小さくなるように後出脚内転生地が構成される。
【符号の説明】
【０１２７】
１…ボトム、１１…ボトム右、１２…ボトム左、１３…ウエスト部、１４…股布、１５…裾、２０…基礎生地（基礎部）、２１…下腹部基礎生地、２３…脇腹基礎生地、２２…臀部基礎生地、２４…大腿基礎生地、２５…膝基礎生地、２６…膝下基礎生地、３０…前出脚外転生地（前出脚外転部）、３１…大腿前出脚外転生地、３１Ａ…表側生地、３１Ｂ…裏側生地、３２…下腿前出脚外転生地、３３…臀部前出脚外転生地、４０…前出脚外旋生地（前出脚外旋部）、４１…内側前出脚外旋生地、４２…外側前出脚外旋生地、４３…背面支持生地、５０…後出脚内転生地（後出脚内転部）、５１…大腿後出脚内転生地、５２…臀部後出脚内転生地、１１３…ウエストベルト、１１５…膝ベルト、１３０…前出脚外転ベルト、１５０…後出脚内転ベルト。
【要約】
【課題】内転筋をはじめとする下半身の筋肉の活動量を増大させることのできる運動補助着を提供する。
【解決手段】ボトム１には、脚が前に出された状態において同脚を外側に開く外転方向への力を同脚に付与する前出脚外転生地３０が設けられている。また、脚が後ろに出された状態において同脚を内側に閉じる内転方向への力を同脚に付与する後出脚内転生地５０が設けられている。ボトム１の着用者が歩行するとき、前出脚外転生地３０に生じる張力により外転方向への力が脚に付与される。また、後出脚内転生地５０に生じる張力により内転方向への力が脚に付与される。
【選択図】図１【図１】
0004834181.tif 000002
【図２】
0004834181.tif 000003
【図３】
0004834181.tif 000004
【図４】
0004834181.tif 000005
【図５】
0004834181.tif 000006
【図６】
0004834181.tif 000007